(57)【要約】【課題】外観がシンプルで高級感を呈するセラミック製のものとし、しかも構造が簡素化されて耐久性を有するバンドの中留構造を提供する。【解決手段】中留１の主体となる長板状部材２０をセラミック材で成形し、長手方向に対して横に断面した形状が略凹状とする。長板状部材２０の凹部２０ａの両側には側部突壁２０ｂを形成し、該側部突壁２０ｂの端部には支持孔部２０ｃを形成する。該支持孔部２０ｃに時計バンドの端部Ｂ１，Ｂ２が取り付けられる第１の中板５と第２の中板６とを折り畳み可能／回動可能に連結する。長板状部材２０の側部突壁２０ｂは、凹部２０ａ内に第１の中板５と第２の中板６が折り畳み収納されたときに、第１の中板５と第２の中板６が外部に露呈しない高さに設定する。【選択図】図２
0003173931.tif 000002
【実用新案登録請求の範囲】
【請求項１】
バンドを構成する駒部材の少なくとも外表面部分が、セラミック材により成形されてなるバンドの両端部を結合するためのバンドの中留構造において、
セラミック材により長板状部材を断面略凹状に成形し、該長板状部材の凹部における両側の側部突壁の両端部に、前記バンドの各端部に取り付けられる一対の中板を回動可能に設け、前記中板のいずれか一方に連結ユニットを設け、前記中板を前記長板状部材に対して折り畳み状態にしたときに、前記連結ユニットが前記中板の上側を覆う状態で前記長板状部材と係合することにより、前記両バンド端部が連結される構成であって、
前記長板状部材の前記側部突壁の高さを、前記凹部内に前記一対の中板が折り畳み状態で収納された状態で外部に露呈しない高さに設定したことを特徴とするバンドの中留構造。
【考案の詳細な説明】
【技術分野】
【０００１】  本考案は、駒がセラミック材により形成されている時計バンドや装飾品用バンドに適用され、該バンドの両端部を連結する中留構造に関する。
【背景技術】
【０００２】  従来、バンドの中留構造として、バンドの両端部が取り付けられる第１の中板と第２の中板とを、裏板の両端部に折り畳み可能／回動可能に連結した構造、いわゆる観音開き型の構造のものが知られている。【０００３】  近年では、バンドに高級感を持たせるため、独特の風合いを呈するセラミック製の駒体からなる時計バンドが市販されている。この種の時計バンドには、高級感のある中留として前記観音開き型の中留が使用されることが多い。【０００４】  前記中留は、通常、金属製の構成部材から成型されるが、セラミック製の駒体に整合させるため中留もセラミック製にすることが考えられている。しかし、中留の構成は、細かい加工を必要とする構成部材からなっており、これらの小スケールの構成部材全部をセラミックにより成形することは難しい。【０００５】  このため、従来ではバンドの駒体がセラミック製であっても、中留には金属製のものを採用していた。このため、従来では時計本体の側およびバンド全体をセラミック製にしたとしても、中留が金属製の部材からなるため、例えば、その部位にセラミック材と同色のメッキ等の処理を行っても質感が同じにならず、高級感が損なわれていた。【０００６】  そこで、前記問題を解決するため、本件出願人は、特許文献１に記載のバンドの中留構造を出願して登録となった。特許文献１のバンドの中留構造は、セラミック材により成形された断面略凹状の長板状部材により中留の金属製の裏板の下外側面を覆うことにより、外観上、中留全部がセラミック材から形成されているように見えるようにし、バンド全体としてセラミック独特の風合いを呈するものにしたものである。【０００７】  図５〜図７に基づいて、特許文献１のバンドの中留構造について説明する。【０００８】  図５，図６において、中留１は、保持開口２と係止開口３を有する裏板４に、第１の中板５と第２の中板６が折り畳み可能／回動可能に連結されている。第１の中板５には、時計バンドの一方の端部Ｂ１が連結されるとともに、第１の中板５を裏板４側に折り畳んだ際に、裏板４の保持開口２に対応する位置に突起部５ａが設けられている。【０００９】  中留１において、第２の中板６に表蓋７が回動可能に連結され、この表蓋７に時計バンドの他方の端部Ｂ２が連結されている。また、表蓋７内には連結ユニット９が設けられており、該連結ユニット９は、第２の中板６と表蓋７とを裏板４側に折り畳んだ際に、裏板４の係止開口３に係合部が係止される公知の係合部材１０を備えている。【００１０】  さらに、中留１の裏板４における略中央部分の両側部に、軸体１１ａと管状体１１ｂとからなる２本の連結ピン部材１１が嵌挿される通孔部４ａがそれぞれ２箇所設けられている。【００１１】  また、１２は、セラミック材により成形された断面略凹状の長板状部材であって、中留１の裏板４の下外側面を覆うように、長板状部材１２の凹部１２ａを裏板４の下側部分に嵌着させている。長板状部材１２の略中央部の側部突壁１２ｂには、裏板４の通孔部４ａに対して連結ピン部材１１を介して連結する連結部である貫通孔１２ｃが２箇所に穿設されている。【００１２】  長板状部材１２の裏板４への装着は、まず、長板状部材１２を、貫通孔１２ｃ��通孔部４ａに合うように位置決めしながら裏板４の下側部分に嵌める。その後、図６に示すように、長板状部材１２の一方側の貫通孔１２ｃから、連結ピン部材１１を構成する軸体１１ａと管状体１１ｂの一端を順次挿入し、裏板４の通孔部４ａを通して長板状部材１２の他方側の貫通孔１２ｃへと嵌挿する。【００１３】  このようにして、長板状部材１２が裏板４に位置決め固定される。図７が長板状部材１２と裏板４との位置決め固定後のバンドの状態である。
【先行技術文献】
【特許文献】
【００１４】
【特許文献１】実用新案登録第３１７０７３６号公報
【考案の概要】
【考案が解決しようとする課題】
【００１５】  特許文献１のバンドの中留構造では、セラミック材によりバンド構成部材の外側部全体が覆われることになり、デザイン上の統一感が向上し、バンド全体としてセラミック独特の風合いを呈して、高級感のあるバンドの中留構造として有効である。【００１６】  しかし、特許文献１のバンドの中留構造を、さらに考察したところ、次のような課題が見いだされた。第１として、金属製の裏板４に金属製の第１の中板５と第２の中板６とが折り畳み可能／回動可能に連結される構成であるため、中留全体として、長板状部材１２の底側部分の厚さに、裏板４と第１の中板５と第２の中板６との厚みが加算されて、中留全体としての厚さが大きくなってしまうことである。【００１７】  また、第２として、図８に示すように、長板状部材１２内に裏板が収納されるようになっても、折り畳み状態の第１の中板５と第２の中板６の一部が、バンドの端部Ｂ１，Ｂ２部分と長板状部材１２の側部突壁１２ｂとの間隙から外部に露出して見えてしまうことである。【００１８】  そこで本考案は、前記従来の課題を解決し、中留部分を含めたバンド外観全体として、外観がシンプルで高級感を呈するセラミック製のものとし、しかも構造が簡素化されて耐久性を有するバンドの中留構造を提供することを目的とする。
【課題を解決するための手段】
【００１９】  本考案のバンドの中留構造は、バンドを構成する駒部材の少なくとも外表面部分が、セラミック材により成形されてなるバンドの両端部を結合するためのバンドの中留構造において、セラミック材により長板状部材を断面略凹状に成形し、該長板状部材の凹部における両側の側部突壁の両端部に、前記バンドの各端部に取り付けられる一対の中板を回動可能に設け、前記中板のいずれか一方に連結ユニットを設け、前記中板を前記長板状部材に対して折り畳み状態にしたときに、前記連結ユニットが前記中板の上側を覆う状態で前記長板状部材と係合することにより、前記両バンド端部が連結される構成であって、前記長板状部材の前記側部突壁の高さを、前記凹部内に前記一対の中板が折り畳み状態で収納された状態で外部に露呈しない高さに設定したことを特徴とする。
【考案の効果】
【００２０】  本考案のバンドの中留構造によれば、中留の主体となる長板状部材がセラミック材のみで成形されるため、中留を閉じた状態のみならず、中留を開いたときにも、バンドの駒体の少なくとも外周部をセラミック製にすれば、バンド全体がオールセラミックのものとして視認され、全体としてセラミック独特の風合いを呈するものになり、高級感を高めることができる。【００２１】  しかも、長板状部材の凹部内に一対の中板が折り畳み状態で収納された状態で、中板が金属で成型されたものであっても、中留が閉じた状態では中板は外部に露呈しないようにしたため、さらにオールセラミック感を強調されることになる。【００２２】  また、従来の金属製の裏板を不用にしたことにより、部品点数も減り、中留全体の厚みを薄くすることができる。【００２３】  さらに、長板状部材の凹部内に一対の中板が折り畳み状態で収納された状態において、長板状部材の凹部両側の側部突壁の高さが、中板の横動を規制する高さであるため、横動が原因する摩損や連結部などに対する負荷をなくすことができ、耐久性を向上させることができる。【００２４】  このように、本考案のバンドの中留構造を採用することにより、耐久性に優れかつ高級感のあるセラミック製のバンドを提供することができる。
【図面の簡単な説明】
【００２５】
【図１】本考案に係る中留の実施形態を適用したバンドの中留部分を示す斜視図である。
【図２】本実施形態のバンドの中留を開放した状態を示す斜視図である。
【図３】本実施形態の中留の開放状態を示す斜視図である。
【図４】本実施形態のバンドの中留部分の側面図である。
【図５】バンドの中留部分の従来例を示す斜視図である。
【図６】従来例の中留を開放した状態の分解斜視図である。
【図７】従来例のバンドの中留を開放した状態を示す斜視図である。
【図８】従来例のバンドの中留部分の側面図である。
【考案を実施するための形態】
【００２６】  以下、本考案の好適な実施形態を図１〜図４に基づいて説明する。なお、以下の説明において、図５〜図８を参照して説明した従来例の部材と同一機能のものには同一符号を付して詳しい説明は省略する。
【００２７】  図３において、中留１の主体となる長板状部材２０は、セラミック材で成形されたものであり、長手方向に対して横に断面した形状が略凹状をなし、該凹部２０ａの両側に側部突壁２０ｂが一体に形成され、また凹部２０ａの底壁に、従来例と同様に保持開口２と係止開口３が形成されている。さらに長板状部材２０の側部突壁２０ｂの端部には支持孔部２０ｃが形成されている。
【００２８】  長板状部材２０の支持孔部２０ｃには、図２に示すように、第１の中板５と第２の中板６が折り畳み可能／回動可能に連結されている。第１の中板５には、セラミック製の時計バンドの一方の端部Ｂ１が連結されるとともに、第１の中板５を長板状部材２０側に折り畳んだ際に、長板状部材２０の保持開口２に対応する位置に突起部５ａが設けられている。
【００２９】  さらに、中留１において、第２の中板６にセラミック製の表蓋７が回動可能に連結され、この表蓋７にセラミック製の時計バンドの他方の端部Ｂ２が連結されている。また、表蓋７には連結ユニット９が設けられており、該連結ユニット９は、表蓋７とともに第２の中板６を長板状部材２０側に折り畳んだ際に、長板状部材２０の係止開口３に係合部（図示せず）が係止される係合部材１０を備えている。
【００３０】  また、長板状部材２０の側部突壁２０ｂは、凹部２０ａ内に第１の中板５と第２の中板６が折り畳み収納されたときに、第１の中板５と第２の中板６が外部に露呈しない高さに設定されている。
【００３１】  前記構成において、第１の中板５を長板状部材２０側に折り畳み、次いで表蓋７とともに第２の中板６を長板状部材２０側に折り畳むと、突起部５ａが保持開口２に保持されるとともに、係合部材１０の係合部が長板状部材２０の係止開口３内に係止される。これにより第１の中板５と第２の中板６との上側を表蓋７が覆った状態で、時計バンドの両端部Ｂ１，Ｂ２が連結される。
【００３２】  また、時計バンドの端部Ｂ１，Ｂ２の連結を解除して開放するには、外部に突出する係合部材１０をバンド内方へ押し込む。すると、長板状部材２０の係止開口３と、該係止開口３に係止している係合部材１０の係合部との係合が解除されて、時計バンドの端部Ｂ２が回動自在になる。これにより、時計バンドの両端部Ｂ１，Ｂ２を開放状態にすることができる。
【００３３】  図１は中留１を折り畳み、時計バンドの両端部Ｂ１，Ｂ２を連結した状態を示している。この状態では、時計バンドの駒体および表蓋７の少なくとも外周部がセラミック製であり、中留１の主体である長板状部材２０もセラミック製であって、しかも、長板状部材２０の側部突壁２０ｂにより第１の中板５と第２の中板６の側部が被覆されることになるため、外観上はバンド全体がセラミック製として視認されることになる。
【００３４】  また、図２に示すように、中留１の主体となる長板状部材２０がセラミック材のみで成形されているため、中留１を開いたときにも、バンドの略全体がセラミックのものとして視認されることになる。
【００３５】  また、長板状部材２０がセラミック材のみで構成され、従来例の金属製の裏板を不用にしたことにより、部品点数も減り、中留全体の厚みを薄くすることができる。
【００３６】  さらに、長板状部材２０の凹部２０ａ内に一対の中板５，６が折り畳み状態で収納された状態において、凹部２０ａの両側の側部突壁２０ｂにより中板５，６の横動が規制されるため、この横動が原因する摩損や連結部などに対する負荷をなくすことができ、中留１の耐久性が向上する。
【００３７】  また、表蓋７と駒体などのバンド本体と長板状部材２０とを同材質，同色にすることもできるため、独特の光沢を呈することと相俟って、デザイン面においても統一感のある優れたものとなる。
【００３８】  なお、前記実施形態における各部材の形状あるいは設置数などは、実施に際して前記説明したものに限定されず、バンドの使用形態／仕様などにより適宜選択して決定する必要がある。
【産業上の利用可能性】
【００３９】  本考案は、バンドを構成する駒部材などにおいて、その少なくとも外表面部分が、セラミック材により成形されてなる時計バンドや装飾品用バンドに実施して有用である。
【符号の説明】
【００４０】１  中留
２  保持開口
３  係止開口
５  第１の中板
５ａ  突起部
６  第２の中板
７  表蓋
９  連結ユニット
１０  係合部材
２０  長板状部材
２０ａ  凹部
２０ｂ  側部突壁
２０ｃ  支持孔部
Ｂ１，Ｂ２  時計バンドの端部
【図１】
0003173931.tif 000003
【図２】
0003173931.tif 000004
【図３】
0003173931.tif 000005
【図４】
0003173931.tif 000006
【図５】
0003173931.tif 000007
【図６】
0003173931.tif 000008
【図７】
0003173931.tif 000009
【図８】
0003173931.tif 000010